(57)【要約】【課題】調圧可能なバッグ体装置を提供する。【解決手段】かかるバッグ体装置は、エアバッグ弾性体と、装着空間を有する着用保護具とから構成され、そのエアバッグ弾性体は、第１エアバッグ体と、第１エアバッグ体に相連結される第１制御バルブと、第２エアバッグ体と、第２及び第１エアバッグ体に直列接続される第２制御バルブとを備え、第１及び第２エアバッグ体を連通形成し、第１及び第２制御バルブの上にそれぞれ各別に単方向給気又は排気を呈している両単方向給気バルブドア及び排気バルブドアが設置されることで、第２制御バルブを第１及び第２エアバッグ体との間に直列接続して、第１制御バルブを第１エアバッグ体に連結し、第１及び第２制御バルブにより単方向給気バルブドア又は単方向排気バルブドアが気体の給気加給又は排気減圧制御し、人間工学的な曲線に基づいて最適の弾性被覆緊張度及び緩衝を適当に調整できる効果が達成される。【選択図】図１
2018178303.tif 000002
【特許請求の範囲】
【請求項１】
エアバッグ弾性体と、それに対応する装着空間を有する着用保護具とから構成される調圧可能なバッグ体装置であって、
前記着用保護具の内側に第１バッグ室納置槽と、第２バッグ室納置槽とが予め設けられ、
前記エアバッグ弾性体は、第１エアバッグ体と、前記第１エアバッグ体に相連結される第１制御バルブと、第２エアバッグ体と、前記第２エアバッグ体及び前記第１エアバッグ体に直列接続される第２制御バルブとを備えることにより、前記第１エアバッグ体及び前記第２エアバッグ体をそれぞれ前記第１バッグ室納置槽及び前記第２バッグ室納置槽に取り付けて連結接合し、前記第１制御バルブ及び前記第２制御バルブの上にそれぞれ各自に互いに単方向給気又は排気を呈しており、相対に並立する一対の単方向給気バルブドア及び単方向排気バルブドアが設置されることにより、前記第１制御バルブを前記第１エアバッグ体に連結し、前記第２制御バルブを前記第１エアバッグ体及び前記第２エアバッグ体に直列接続することによって、それらをそれぞれ単方向給気及び単方向排気のループ経路に連通形成して、前記第１制御バルブ及び前記第２制御バルブを利用して前記単方向給気バルブドア又は前記単方向排気バルブドアが気体の給気加給又は排気減圧を行うように制御し、及び給気、排気制御端を有する前記第１エアバッグ体を繰り返し押し付けることにより、サイホン作用を生じさせて前記単方向給気バルブドアから外部の気体を前記第１エアバッグ体まで吸い込んでから順次前記第２制御バルブを介して前記第２エアバッグ体の単方向充気のループ経路へ排気し、及び前記第２エアバッグ体内の気体を前記第１エアバッグ体まで吸引排気してから順次前記第１制御バルブを介して単方向排気を行うループ経路へ排出したり、或いはループ経路を閉路中止したりすることで、前記エアバッグ弾性体の前記第１エアバッグ体と前記第２エアバッグ体との両エアバッグが高い弾性支持を有する上、適量の充気による支持保護被覆及び排気放圧を調整することを特徴とする、調圧可能なバッグ体装置。
【請求項２】
前記第１制御バルブ及び前記第２制御バルブの前記単方向給気バルブドア及び前記単方向排気バルブドアには制御スイッチが配置され、前記第２エアバッグ体には、前記第２エアバッグ体内の給気又は排気の気体量を反映する気圧値の表示を提供する圧力計が相互に配置されることを特徴とする、請求項１に記載の調圧可能なバッグ体装置。
【請求項３】
前記着用保護具が靴体として設けられる場合には、靴底の足踵に対応する箇所に前記エアバッグ弾性体の前記第１エアバッグ体を取り付けるための前記第１バッグ室納置槽が設けられ、前記靴体の内縁に前記第２エアバッグ体に接続連結するための第２バッグ室納置槽が設けられ、前記第１エアバッグ体及び前記第２エアバッグ体で足部を一体的に包囲して緩衝被覆するバッグ式弾性被覆空間が形成され、前記第１制御バルブ及び第２制御バルブによりそれぞれ前記第１エアバッグ体及び前記第２エアバッグ体が単方向給気充填又は排気放圧を呈するように制御することを特徴とする、請求項１に記載の調圧可能なバッグ体装置。
【請求項４】
前記着用保護具が帽体として設けられる場合には、前記帽体の内側に前記エアバッグ弾性体の前記第１エアバッグ体を取り付けるための前記第１バッグ室納置槽が設けられ、前記帽体のつばの内周縁側に前記第２エアバッグ体を取り付けるための前記第２バッグ室納置槽が設けられて裏地を形成し、前記第１エアバッグ体及び前記第２エアバッグ体で頭部を一体的に包囲して緩衝被覆するバッグ式弾性被覆空間が形成され、前記第１制御バルブ及び第２制御バルブによりそれぞれ前記第１エアバッグ体及び前記第２エアバッグ体が単方向給気充填又は排気放圧を呈するように制御することを特徴とする、請求項１に記載の調圧可能なバッグ体装置。
【発明の詳細な説明】
【技術分野】
【０００１】
本発明は、調圧可能なバッグ体装置に関するものであり、さらに詳しくは、人体の着用保護具内に結合されて運用され、人間工学的な曲線に基づいて最適の弾性被覆緊張度及び緩衝を適当に調整することが可能な効果が達成されると共に、適量の充気による支持保護被覆及び排気放圧の調整可能な弾性被覆バッグ体に関するものである。
【背景技術】
【０００２】
従来、靴のサイズは、いずれも一定の寸法規格を有しており、着用者の足形寸法と完全に一致せずに、足にぴったり合わないという不都合が生じるので、通常、靴紐を設けて補助することにより、又は着用者が自ら厚みを持たせた靴パッドを入れて補助支持することから、不快感を与えることになるという問題点がある。
【発明の概要】
【発明が解決しようとする課題】
【０００３】
従って、本発明は、上記の通りの従来の欠点を鑑みて提案されたものであり、本発明の課題は、人体の各種の着用保護具内に結合されて使用することにより高弾性の快適被服が達成され、適量の充気による支持保護被服と排気による緩衝効果が得られる調圧可能なバッグ体装置を提供することにある。
【課題を解決するための手段】
【０００４】
そこで、本発明者は、前記の本発明の課題を解決するために鋭意検討を重ねた結果、後述のようにエアバッグ弾性体と、装着空間を有する着用保護具とから構成されるバッグ体装置において、着用保護具内の内側にバッグ室納置槽を予め設けることにより、前記課題を達成できる端緒となることに着目し、かかる知見に基いて本発明に想到するに至った。
本発明によれば、前記の通りの調圧可能なバッグ体装置を提供すると共に、調圧可能なバッグ体装置の製造方法および前記の通りの使用操作からなる使用方法を提供することができる。
すなわち 本発明のバッグ体装置に関する目的は、特に、そのエアバッグ弾性体の第１及び第２制御バルブにそれぞれ各自に単方向給気又は排気を呈しいる単方向給気バルブドア及び単方向排気バルブドアが設置され、第１制御バルブを介して第１エアバッグ体に連結し、第２制御バルブを介して第１及び第２エアバッグ体に直列接続することによって連通形成して、前記エアバッグ弾性体は、第１及び第２制御バルブにより単方向給気バルブドア又は単方向排気バルブドアが気体の給気加給又は排気減圧を行うように制御すると共に、人体の各種の着用保護具内に結合されて使用されることで、高い弾性の快適被覆が達成され、適量の充気による支持保護被覆及び排気放圧できる緩衝の効果を有する、調圧可能なバッグ体装置を提供することにある。
かくして、本考案の要旨は次の（１）〜（４）に示す通りである。
【０００５】
（１）エアバッグ弾性体と、それに対応する装着空間を有する着用保護具とから構成される調圧可能なバッグ体装置であって、
前記着用保護具の内側に第１バッグ室納置槽と、第２バッグ室納置槽とが予め設けられ、
前記エアバッグ弾性体は、第１エアバッグ体と、前記第１エアバッグ体に相連結される第１制御バルブと、第２エアバッグ体と、前記第２エアバッグ体及び前記第１エアバッグ体に直列接続される第２制御バルブとを備えることで、前記第１エアバッグ体及び前記第２エアバッグ体をそれぞれ前記第１バッグ室納置槽及び前記第２バッグ室納置槽に取り付けて連結接合し、前記第１制御バルブ及び前記第２制御バルブの上にそれぞれ各自に互いに単方向給気又は排気を呈しており、相対に並立する一対の単方向給気バルブドア及び単方向排気バルブドアが設置されることで、前記第１制御バルブを前記第１エアバッグ体に連結し、前記第２制御バルブを前記第１エアバッグ体及び前記第２エアバッグ体に直列接続することによって、それらをそれぞれ単方向給気及び単方向排気のループ経路に連通形成して、前記第１制御バルブ及び前記第２制御バルブを利用して前記単方向給気バルブドア又は前記単方向排気バルブドアが気体の給気加給又は排気減圧を行うように制御し、及び給気、排気制御端を有する前記第１エアバッグ体を繰り返し押し付けることにより、サイホン作用を生じさせて前記単方向給気バルブドアから外部の気体を前記第１エアバッグ体まで吸い込んでから順次前記第２制御バルブを介して前記第２エアバッグ体の単方向充気のループ経路へ排気し、及び前記第２エアバッグ体内の気体を前記第１エアバッグ体まで吸引排気してから順次前記第１制御バルブを介して単方向排気を行うループ経路へ排出したり、或いはループ経路を閉路中止したりすることで、前記エアバッグ弾性体の前記第１エアバッグ体と前記第２エアバッグ体との両エアバッグが高い弾性支持を有する上、適量の充気による支持保護被覆及び排気放圧を調整することを特徴とする、調圧可能なバッグ体装置。
【０００６】
（２）前記第１制御バルブ及び前記第２制御バルブの前記単方向給気バルブドア及び前記単方向排気バルブドアには制御スイッチが配置され、前記第２エアバッグ体には、前記第２エアバッグ体内の給気又は排気の気体量を反映する気圧値の表示を提供する圧力計が相互に配置されることを特徴とする、前記（１）に記載の調圧可能なバッグ体装置。
【０００７】
（３）前記着用保護具が靴体として設けられる場合には、靴底の足踵に対応する箇所に前記エアバッグ弾性体の前記第１エアバッグ体を取り付けるための前記第１バッグ室納置槽が設けられ、前記靴体の内縁に前記第２エアバッグ体に接続連結するための第２バッグ室納置槽が設けられ、前記第１エアバッグ体及び前記第２エアバッグ体で足部を一体的に包囲して緩衝被覆するバッグ式弾性被覆空間が形成され、前記第１制御バルブ及び第２制御バルブによりそれぞれ前記第１エアバッグ体及び前記第２エアバッグ体が単方向給気充填又は排気放圧を呈するように制御することを特徴とする、前記（１）に記載の調圧可能なバッグ体装置。
【０００８】
（４）前記着用保護具が帽体として設けられる場合には、前記帽体の内側に前記エアバッグ弾性体の前記第１エアバッグ体を取り付けるための前記第１バッグ室納置槽が設けられ、前記帽体のつばの内周縁側に前記第２エアバッグ体を取り付けるための前記第２バッグ室納置槽が設けられて裏地を形成し、前記第１エアバッグ体及び前記第２エアバッグ体で頭部を一体的に包囲して緩衝被覆するバッグ式弾性被覆空間が形成され、前記第１制御バルブ及び第２制御バルブによりそれぞれ前記第１エアバッグ体及び前記第２エアバッグ体が単方向給気充填又は排気放圧を呈するように制御することを特徴とする、前記（１）に記載の調圧可能なバッグ体装置。
【発明の効果】
【０００９】
本発明は前記の通りの構成からなり、本発明によれば、後述の実施形態により示すように、着用保護具内に結合されて使用されることにより、高弾性の快適被覆が達成され、適量の充気による支持保護被覆と排気による緩衝効果を奏する調圧可能なバッグ体装置を提供することができる。
【図面の簡単な説明】
【００１０】
【図１】本発明の一実施例形態に係る調圧可能なバッグ体装置の構成ブロック図である。
【図２】本発明の一実施例形態に係る調圧可能なバッグ体装置の使用状態図（一）である。
【図３】本発明の一実施例形態に係る調圧可能なバッグ体装置の使用状態図（二）である。
【発明を実施するための形態】
【００１１】
以下、本発明について、図面に基いて具体的に説明する。
図１は、本発明の調圧可能なバッグ体装置の構成ブロック図である。図１に示すように、かかる調圧可能なバッグ体装置１は、エアバッグ弾性体１０と、それに対応する装着空間を有する着用保護具１１とから構成され、前記着用保護具１１の装着空間内にエアバッグ弾性体１０の取り付けのために供給する第１バッグ室納置槽１１１と、第２バッグ室納置槽１１２とが予め設けられ、また前記着用保護具１１が、靴体、帽体、防具…などの様々な着用具として設けられてもよい。前記エアバッグ弾性体１０は、第１エアバッグ体１２と、第１エアバッグ体１２に相連結される第１制御バルブ１４と、第２エアバッグ体１５と、第２エアバッグ体１５及び第１エアバッグ体１２に直列接続される第２制御バルブ１６とを備えることにより、第１及び第２制御バルブ１４，１６が連結される給気、排気制御端を有する前記第１エアバッグ体１２を第１バッグ室納置槽１１１に置く。前記第２エアバッグ体１５が着用保護具１１の装着空間の内縁面と相似する形状の環状中空バッグ体に形成されると共に、それを第２バッグ室納置槽１１２に設けて相連結することで、人体に対応する着用部位又は肢体に相互に嵌合着用するための被覆環状体が形成されると同時に、前記第１エアバッグ体１２と第２エアバッグ体１５を直列接続することができる第２制御バルブ１６を有し、それらを相接合することで連通形成して、第１及び第２制御バルブ１４，１６の上にそれぞれ各自に互いに単方向給気又は排気を呈している。相対に並立する一対の単方向給気バルブドア１４１，１６１及び単方向排気バルブドア１４２，１６２が設置され、第１及び第２制御バルブ１４，１６にそれぞれ迅速に切り換えるための制御スイッチが配置されると共に、第２制御バルブ１６を第１エアバッグ体１２と第２エアバッグ体１５に直列接続し、第１制御バルブ１４を第１エアバッグ体１２に連結することによって、相連通するループ経路が形成される。これにより使用要求に応じて、第１及び第２制御バルブ１４，１６により制御スイッチを同期に切換制御して単方向給気バルブドア１４１，１６１又は単方向排気バルブドア１４２，１６２が単方向に気体の給気加給又は排気減圧を行ったり、ループ経路を中断停止したりするように設定すると同時に、給気、排気制御端を有する第１エアバッグ体１２を繰り返し押し付けることにより、サイホン作用を生じさせることで、単方向給気バルブドア１４１から外部の気体を単方向に第１エアバッグ体１２まで吸い込んでから順次第２制御バルブ１６を介して第２エアバッグ体１５の単方向気体充填のループ経路へ排気する。又は単方向排気を行うループ経路のように、第２エアバッグ体１５内の気体を第１エアバッグ体１２まで吸引排気してから順次第１制御バルブ１４を介して着用保護具１１の外へ排出したり、或いはループ経路を閉路中止したりすることができ、これにより、第１及び第２エアバッグ体１２，１５がエアを給排しないように保持される。これにより、エアバッグ弾性体１０の第１及び第２エアバッグ体１２，１５との両エアバッグが高い弾性支持を有することを利用することができ、適量の充気による支持保護被覆及び排気放圧の快適性を調整できるのに役立ち、適量の充気による支持保護被覆及び排気放圧の快適性が達成され、高い弾性の被覆と緩衝を有する効果が達成される。
【００１２】
上記の第２エアバッグ体１５には、そのエアバッグ体内の給気量又は排気量を反映する気圧値の表示を提供する圧力計１３が相連結して配置される。
【００１３】
図２に示すように、上記の調圧可能なバッグ体装置において、それがエアバッグ弾性体１０に対応して取り付けられる着用保護具１１が靴体１１ａとして設けられる場合には、靴体１１ａは、単に靴底の足踵に対応する箇所に第１バッグ室納置槽１１１ａを設けること、及び靴体１１ａの装着空間の内周縁に第２バッグ室納置槽１１２ａを設けることによって、エアバッグ弾性体１０の第１エアバッグ体１２を第１バッグ室納置槽１１１ａに収容すること、第２エアバッグ体１５を靴体１１ａの内縁面の第２バッグ室納置槽１１２ａに接続連結することにより、前記第１及び第２エアバッグ体１２，１５で足部Ａを緩衝被覆するバッグ式弾性被覆空間１１３が形成される。即ち第１及び第２制御バルブ１４，１６により制御スイッチを切り換えて前記第１及び第２エアバッグ体１２，１５が単方向給気充填又は排気放圧を呈するように同期制御することにより、エアバッグ弾性体１０を足部Ａ上に支持展開被覆することによって、適量の充気による支持保護被覆及び排気放圧の快適性が達成され、高い弾性の被覆と緩衝を有する効果が達成される。
【００１４】
図３に示すように、上記の調圧可能なバッグ体装置において、それがエアバッグ弾性体１０に対応して取り付けられる着用保護具１１がヘルメットの帽体１１ｂとして設けられる場合には、帽体１１ｂの内側の適宜箇所に第１バッグ室納置槽１１１ｂが予め設けられると共に、帽体１１ｂのつばの内周縁側に第２バッグ室納置槽１１２ａが設けられ、前記第１エアバッグ体１２を第１バッグ室納置槽１１１ｂに収容すると共に、第２エアバッグ体１５が帽体１１ｂの内縁と相似する形状に形成されて、帽体１１ｂの内縁面に接続連結して着用者の頭部Ｂに対応する箇所に裏地を形成し、前記第１及び第２エアバッグ体１２，１５で頭部Ｂを一体的に包囲して緩衝被覆するバッグ式弾性被覆空間１１３ａが形成され、第１及び第２制御バルブ１４，１６によりそれぞれ前記第１及び第２エアバッグ体１２，１５が単方向給気充填又は排気放圧を呈するように制御することで、人間工学的な曲線に基づいて最適の弾性被覆緊張度及び緩衝を適当に調整できる効果が達成され、及び適量の充気による支持保護被覆及び排気放圧の快適性を調整でき、並びに高い弾性の被覆と緩衝の効果が達成される。
【００１５】
以上に述べたことは、単に本発明の好適な一実施例形態および実施例であり、本発明に基づい行う等効果を有する変更又は修正に係る発明は、本発明の範囲に含まれる。
【符号の説明】
【００１６】
１０：エアバッグ弾性体
１１：着用保護具
１１ａ：靴体
１１ｂ：帽体
１１１，１１１ａ，１１１ｂ：第１バッグ室納置槽
１１２，１１２ａ，１１２ｂ：第２バッグ室納置槽
１１３，１１３ａ：バッグ式弾性被覆空間
１２：第１エアバッグ体
１３：圧力計
１４：第１制御バルブ
１４１：単方向給気バルブドア
１４２：単方向排気バルブドア
１５：第２エアバッグ体
１６：第２制御バルブ
１６１：単方向給気バルブドア
１６２：単方向排気バルブドア
Ａ：足部
Ｂ：頭部
【図１】
2018178303.tif 000003
【図２】
2018178303.tif 000004
【図３】
2018178303.tif 000005